(57)【要約】      （修正有）【課題】ポスターフレームの枠を装飾する場合において、一般的なポスターフレームのフレーム枠に装飾体を設けることができるとともに、装飾範囲が限定されず、また、装飾体の着脱も容易とするポスターフレーム装飾具を提供する。【解決手段】ポスターフレーム装飾具を、四辺に枠が設けられたポスターフレームの前記枠Fに着脱可能に固定される１以上の係合体１０、２０と、前記係合体１０、２０に係合固定できる被係合体３０が前記枠Ｆにおける前記係合体１０、２０の固定位置に対応して裏面に固定された装飾体４０とから構成する。【選択図】図３
0003161897.tif 000002
【実用新案登録請求の範囲】
【請求項１】
四辺に枠が設けられたポスターフレームの前記枠に着脱可能に固定される１以上の係合体と、
前記係合体に係合固定できる被係合体が前記係合体の前記枠における固定位置に対応して裏面に固定された装飾体と
からなるポスターフレーム装飾具。
【請求項２】
前記係合体の少なくとも一つは前記ポスターフレーム上辺を形成する前記枠の上部に引っ掛けるフックにより着脱可能に形成される
請求項１に記載のポスターフレーム装飾具。
【請求項３】
前記係合体の少なくとも一つは前記枠と前記ポスターフレームに固定されるポスター又は前記枠と前記ポスターフレームの透明カバーとの間に狭持される板材からなる狭持板により着脱可能に形成される
請求項１又は２に記載のポスターフレーム装飾具。
【請求項４】
前記係合体は面ファスナーの一方の係合面により形成され、前記被係合体は前記面ファスナーの他方の被係合面により形成される請求項１から３のいずれか１項に記載のポスターフレーム装飾具。
【考案の詳細な説明】
【技術分野】
【０００１】
本考案は、ポスターフレームの枠を装飾するための器具に関する。
【背景技術】
【０００２】
宣伝用ポスターなどを保持するポスターフレームを構成する枠は、シンプルなデザインで目立たないようにすることが一般的である。しかしながら、枠も装飾することで注目を集めることが可能であり、例えば、下記特許文献１に、ポスターフレームの枠を装飾することが示されている。
特許文献１に記載の考案は、枠幅を広くして装飾部を形成し、この装飾部に化粧板を両面テープで固定することが示されている。このような構成によれば、化粧板を付け替えることで柔軟に枠のデザインを変えることができる。
【先行技術文献】
【特許文献】
【０００３】
【特許文献１】実用新案登録第３１２１４８４号公報
【考案の概要】
【考案が解決しようとする課題】
【０００４】
しかし、上記特許文献１に記載の考案は、装飾部を有する特別なポスターフレームが必要であり、また、装飾範囲も装飾部内のみに限定されてしまう。また、両面テープで装飾体となる化粧板を着脱するために装飾体裏面にテープが残ってしまい、装飾体の再利用が困難である。
本考案は、このような事情に鑑みて、ポスターフレームの枠を装飾する場合において、一般的なポスターフレームのフレーム枠に装飾体を設けることができるとともに、装飾範囲が限定されず、また、装飾体の着脱も容易とすることを課題とする。
【課題を解決するための手段】
【０００５】
上記課題を解決するために、本考案は次のような構成を有する。
請求項１に記載の考案は、四辺に枠が設けられたポスターフレームの前記枠に着脱可能に固定される１以上の係合体と、前記係合体に係合固定できる被係合体が前記枠における前記係合体の固定位置に対応して裏面に固定された装飾体とからなるポスターフレーム装飾具である。係合体と被係合体の組み合わせとしては、後述する面ファスナーの一方面の係合面と他方面の被係合面、磁石とこれに吸着する磁石又は金属板、金属板とこれに吸着する磁石、上方側が開放されたフックとこれに係合する突起などが挙げられる。
請求項２に記載の考案は、前記ポスターフレーム装飾具において、前記係合体の少なくとも一つはポスターフレームの上辺を形成する枠の上部に引っ掛けるフックにより着脱可能に形成されるものである。
請求項３に記載の発明は、前記ポスターフレーム装飾具において、前記係合体の少なくとも一つは枠と前記ポスターフレームに固定されるポスター又は枠と前記ポスターフレームの透明カバーとの間に狭持固定される板材からなる挟持板により着脱可能に形成されるものである。
請求項４に記載の発明は、前記ポスターフレーム装飾具において、前記係合体は面ファスナーの一方の係合面により形成され、前記被係合体は前記面ファスナーの他方の被係合面により形成されるものである。
【考案の効果】
【０００６】
請求項１に記載の考案は、ポスターフレームに係合体を固定し、これに被係合体が裏面に設けられた装飾体を固定する構造であるので、係合体が固定できるポスターフレームであれば任意のポスターフレームに対して装飾が可能であり、装飾体の形状も限定されないので、装飾の自由度を高めることができる。また、装飾体は被係合体が裏面の所定位置に設けられていれば前記係合体が固定されたポスターフレームに固定できるので、複数種類の装飾体を適宜交換してポスターフレームを装飾することができる。
請求項２に記載の考案は、係合体をフックにより上辺を構成するポスターフレームの枠に引っ掛けることで固定するので構造が簡易であり、着脱も容易に行なうことができる。
請求項３に記載の考案は、係合体を枠とポスターの間の隙間又は枠と透明カバーとの間の隙間に、この隙間に嵌入される厚さを有する挟持板を挟持させることで固定するので、ポスターフレームの背面側に突出する部分などが生じることがなく、係合体を固定した状態で、ポスターフレームを壁面に完全に密着させることができ、また、この状態においても係合体の着脱を行なうことができる。さらに、側辺、底辺を構成する枠にも係合体を固定することができる。
請求項４に記載の考案は、係合体と被係合体を面ファスナーにより形成することで、簡易な構造とすることができる。
【図面の簡単な説明】
【０００７】
【図１】（ａ）は実施形態１に係る第１係合体の斜視図であり、（ｂ）は実施形態１に係る第２係合体の斜視図である。
【図２】実施形態１に係る被係合体が設けられた装飾体の背面図である。
【図３】ポスターフレームに実施形態１に係るポスターフレーム装飾具を設置する状態を示す分解斜視図である。
【図４】実施形態１に係るポスターフレーム装飾具によりポスターフレーム装飾する状態を示す斜視図である。
【図５】（ａ）は実施形態２に係る第３係合体の斜視図であり、（ｂ）は実施形態２に係る第４係合体の斜視図である。
【図６】実施形態２に係る被係合体を示す斜視図である。
【図７】ポスターフレームに実施形態２に係るポスターフレーム装飾具を設置した状態を示す分解斜視図である。
【図８】実施形態２に係るポスターフレーム装飾具によりポスターフレーム装飾した状態を示す斜視図である。
【考案を実施するための形態】
【０００８】
以下、本考案の実施の形態について、図面を参照しながら説明する。
（実施形態１）
図１（ａ）に本実施形態に係るポスターフレーム装飾具Ｘを構成する第１係合体１０の斜視図を示し、図１（ｂ）にポスターフレーム装飾具Ｘを構成する第２係合体２０の斜視図を示す。第１係合体１０は、本体部１１と係合部１２とから構成される。本体部１１は、長方形状の板体からなる前面部１１ａ、前面部１１ａの長辺から後方に直角に折れ曲がって形成される幅の狭い長方形状の板体からなる側面部１１ｂ、側面部１１ｂの後端から前記前面部１１ａに対向するように直角に折れ曲がって形成される長方形状の板体からなる背面部１１ｃから構成される。係合部１２は、本体部１１の前面部１１ａに貼り付けられる長方形状の面ファスナーの係合面から構成される。本体部１１の背面部１１ｃはポスターフレームの枠Ｆとポスターフレームに固定されるポスターＰ又はポスターフレームの枠Ｆとポスターの前面に設けられる透明カバーＣとの間の隙間に狭持固定できる厚さを有し、狭持板としての機能を果たす。
【０００９】
第２係合体２０も本体部２１と係合部２２とから構成される。本体部２１は、長方形状の板体からなる前面部２１ａ、前面部の上方長辺から後方に直角に折れ曲がって形成される幅の狭い長方形状の板体からなる上面部２１ｂ、上面部の後端から前記前面部２１ａに対向するように直角に折れ曲がって形成される長方形状の板体からなる背面部２１ｃから構成される。係合部２２は、本体部２１の前面部２１ａに貼り付けられる長方形状の面ファスナーの係合面から構成される。本体部２１は、前面部２１と背面部２３との間隔は想定されるポスターフレームの枠Ｆの厚さよりやや大きく設定され、断面が下方が開いたコの字状に形成されることでポスターフレームの上辺の枠Ｆに引っ掛けるフックとしての機能を果たす。
【００１０】
図２に本実施形態に係るポスターフレーム装飾具Ｘを構成する被係合体３０が設けられた装飾板４０の背面図を示す。装飾板４０は板状体であり、外周を曲線状に形成することで装飾性を高め、表面にこの曲線にあわせた装飾を構成する絵が描かれる。また、装飾板４０の下端側はポスターフレームの枠Ｆの上辺と両側辺の上端近傍に沿うように長方形状の切り欠きが形成されている。そして、装飾板４０の裏面には前記長方形状の切り欠きの上辺中央位置に隣接する位置と、前記長方形状の切り欠きの両側辺近傍に隣接する位置に、第１係合体１０の係合部１２、第２係合体２０に設けられた係合部２２に係合する長方形状の面ファスナーの被係合面からなる被係合体３０が貼り付けられている。
【００１１】
次に、以上のような構成を有するポスターフレーム装飾具Ｘの使用方法について説明する。まず、図３に示すように２つの第１係合体１０をそれぞれポスターフレームの両側の枠Ｆの上方位置に、背面部１１ｃを枠ＦとポスターＰとの間に狭持させることで固定する。また、第２係合体２０をポスターフレームの上辺の枠Ｆの中央に引っ掛けて固定する。第１係合体１０と第２係合体２０の固定位置は、装飾板４０に固定された被係合部３０の位置に合うように調整する。この状態で、ポスターフレームの枠Ｆに固定された第１係合体１０及び第２係合体２０に装飾板４０の裏面に設けられた被係合体３０とを合わせて係合させると、図４に示すように装飾板４０の表面がポスター面と一致するように装飾板４０をポスターフレームに固定することができる。
このように本実施形態に係るポスターフレーム装飾具Ｘは、一般的なポスターフレームに簡易に取り付けることができ、また、装飾板の大きさや形状に拘束はなく、自由度の高い装飾が可能である。さらに、被係合部３０を設けた他の装飾板を用意することで、必要に応じて容易に装飾板を交換して、ポスターフレームの装飾を変えることができる。また、ポスターフレーム装飾具Ｘはポスターフレームの背面側にほとんど出っ張らないので、壁面に固定されたポスターフレームにも使用することができる。
【００１２】
（実施形態２）
図５（ａ）に本実施形態に係るポスターフレーム装飾具Ｙを構成する第３係合体５０の背面側から見た斜視図を示し、図１（ｂ）にポスターフレーム装飾具Ｘを構成する第４係合体６０の背面側から見た斜視図を示す。第１係合体５０は、本体部５１と係合部５２とから構成される。本体部５１は、長方形状の板体からなる前面部５１ａ、前面部５１ａの上方長辺から後方に直角に折れ曲がって形成される幅の狭い長方形状の板体からなる上面部５１ｂ、上面部５１ｂの後端から前記前面部５１ａに対向するように下方に直角に折れ曲がって形成される長方形状の板体からなる背面部５１ｃ、背面部５１ｃ中央に設けられたネジ穴に係合するツマミネジ５１ｄとから構成される。係合部５２は、前面部５１ａとほぼ同じ形状の長方形板からなり、一定距離を開けて下端側で前面部５１ａを連結されることにより上方側が開放されたフックを形成している。また、本体部５１は、前面部５１ａと背面部５１ｃとの間隔は想定されるポスターフレームの枠Ｆの厚さよりやや大きく設定され、断面が下方が開いたコの字状に形成されることでポスターフレームの上辺の枠Ｆに引っ掛けるフックとしての機能を果たす。
第４係合体６０は第３係合体５０と同じ形状の本体部６１と係合部６２を有するとともに、ツマミネジに変えて、背面部６１ｃに固定ベルト６１ｄが設けられている。固定ベルト６１ｃは、ナイロンベルト両端部にバックル６１ｄａが固定されたものであり、ベルト中央部が背面部６１ｃに固定されている。
【００１３】
図６に本実施形態に係るポスターフレーム装飾具Ｙを構成する被係合体７０の斜視図を示す。被係合体７０は、長方形状の板体からなる前面部７１ａ、前面部の長辺から後方に直角に折れ曲がって形成される幅の狭い長方形状の板体からなる上面部７１ｂ、上面部７１ｂの後端から前記前面部７１ａに対向するように直角に折れ曲がって形成される長方形状の板体からなる背面部７１ｃとから構成される。前面部７１ａと背面部７１ｃとの間隔は、第３係合体５０の背面部５１ｃ及び第４係合体６０の背面部６１ｃの厚さよりやや広い程度に形成されている。この被係合体７０は、ポスターフレーム装飾具Ｙを構成する装飾板８０の裏面に、図７に示すように、長方形状の切り欠き上縁に等間隔で配置固定される。
【００１４】
次に、以上のような構成を有するポスターフレーム装飾具Ｙの使用方法について説明する。
ポスターフレーム装飾具Ｙは、主に、イーゼルに立てられたポスターフレームに対して使用する。まず、図７に示すように２つの第３係合体５０をそれぞれポスターフレームの上辺枠Ｆ両端に引っ掛けて固定するとともに、ツマミネジ５１ｄを閉めて狭持固定する。また、第４係合体６０をポスターフレームの上辺の枠Ｆの中央に引っ掛けて固定するとともに、ポスターフレームを立てているイーゼルの中央にほぼ垂直に設けられた棒体の裏面側で、固定ベルト６１ｃのバックルｃａを連結させ、固定ベルト６１ｃを当該棒体に固定する。第３係合体５０と第４係合体６０の固定位置は、装飾板８０に固定された被係合部７０の位置に合うように調整する。この状態で、ポスターフレームの枠Ｆに固定された第３係合体５０及び第４係合体６０に装飾板８０の裏面に設けられた被係合体７０を引っ掛けるように嵌め入れて係合させ、固定すると、図８に示すように装飾板８０の表面がポスター面と一致するように装飾板８０をポスターフレームに固定することができる。
このように本実施形態に係るポスターフレーム装飾具Ｙは、やはり、一般的なポスターフレームに簡易に取り付けることができ、また、装飾板の大きさや形状に拘束はなく、自由度の高い装飾が可能であって、被係合部３０を設けた他の装飾板を用意することで、必要に応じて容易に装飾板を交換して、ポスターフレームの装飾を変えることができる。そして、係合体５０、６０と被係合体７０との係合がフックにより引っ掛けるものであるので、比較的大きな荷重に耐えることができ、大きな装飾板でも支持することができる。
【００１５】
なお、上記実施形態では装飾体を装飾板として板体としているが、これは立体的な形状でもよく、また、動く部分を有するものでもよい。
上記実施形態に挙げた、係合体と被係合体の係合方法は例示であり、磁石同士又は磁石と鉄板による係合を採用したり、穴に突起を嵌めいれるような係合を採用したり等、種々の変更が可能である。
【符号の説明】
【００１６】
Ｘ、Ｙ  ポスターフレーム装飾具
Ｆ  ポスターフレーム枠
１０、２０、５０、６０  係合体
３０、７０  被係合体
４０、８０  装飾板
【図１】
0003161897.tif 000003
【図２】
0003161897.tif 000004
【図３】
0003161897.tif 000005
【図４】
0003161897.tif 000006
【図５】
0003161897.tif 000007
【図６】
0003161897.tif 000008
【図７】
0003161897.tif 000009
【図８】
0003161897.tif 000010